(57)【特許請求の範囲】
【請求項１】
適宜間隔をおいて立設された支柱の頂部に天板の下面に固着された天板受けを枢支することにより該天板を前記支柱に対し水平状態から垂直状態に回動可能とした折畳みテーブルにおいて、前記天板の前方に前記両支柱間に跨がって下部が前記支柱下部とほぼ同じ位置で上部が天板よりも目隠し程度高くなる適宜高さの四角形の幕板を設け、この幕板はその高さ方向中間部にレールを有し、前記天板の前方裏面に略Ｌ型状に形成された取付金具の水平側を固着し、垂直側の頂部に回転可能に設けたローラを前記レールにスライド可能に嵌裝するとともに、前記幕板の下部は第１リンクおよび第２リンクの一端とそれぞれ回動可能に結合され、第１リンクの他端は前記支柱の下部に、第２リンクの他端は前記天板受けにそれぞれ回動可能に結合されていることを特徴とする折畳みテーブル。
【発明の詳細な説明】
【０００１】
【発明の属する技術分野】
本発明は折畳みテーブルに係り、特に天板の前方に目隠し用の幕板を備えた折畳みテーブルに関する。
【０００２】
【従来の技術】
折畳みテーブルの従来技術として先に本件出願人の出願に係るものとして実開平７−１８２６号公報（実願平５−３２３８９号）がある。
【０００３】
この折畳みテーブルの構造は、図５に示すように下面にキャスタｂを備えた一対の脚ａの上面に支柱ｃをそれぞれ立設して、その支柱ｃの頂部に天板ｄの裏面に設けた天板受けｅをピン等により回動自在に連結したもので、使用時、天板ｄを支柱ｃに対して水平状態に起こしてテーブルとなし、不使用時においては図６に示すように天板ｄを支柱ｃに沿うように折畳むことにより場所を取らずに保管することができるというものである。しかも多数の同じ型の折畳みテーブルを各キャスタｂの間に互い違いに接近させて置くことにより広い場所を取らずに多数保管することができる利点を有するものである。図中、ｆは操作レバーを示す。
【０００４】
【発明が解決しようとする課題】
しかしながら上記の技術においては、２つの折畳みテーブルを向かい合わせで使用するとき、テーブル面には前方を隠すパネルがないために互いにテーブル上で仕事をしている内容が対面者から丸見えとなってしまい、特に人に見せたくないような手元の書類等の場合でも隠すことができないという欠点がある。
【０００５】
また、足元も互いに丸見えとなっているため見苦しい点もあり、特に使用者が女性の場合は互いに対面者を意識せざるを得なかった。
【０００６】
さらに閲覧用としてのパネル付きテーブルには、テーブルに固定されているパネル、あるいはテーブル同士に挟まれて立てたパネルによるものもあるが、これは移設や折畳み等ができないものであった。
【０００７】
【課題を解決するための手段】
本発明は対面者があっても互いに気兼ねすることなく仕事や書類の閲欄等が行えるようにした折畳みテーブルを提供することを課題としたもので、その解決手段としては、従来の折畳み機能に加え、目隠しや足元隠し用の幕板を天板の前部に設け、天板の折畳み時には幕板を天板に重ねることで保管スペースの節減を図るようにしたものである。
【０００８】
【発明の実施の形態】
以下、本発明を図１乃至図４に示す実施の形態を参照して説明する。
【０００９】
図１は本発明にかかる折畳みテーブルの一実施形態の使用時における側面図を示すものである。この図１において適宜間隔をおいて設置される脚１，１の上面にはそれぞれ支柱２，２が立設されていて、その支柱２の頂部には天板３の下面に固着された天板受け４がピン５により枢支され、これにより該天板３は前記支柱２に対して回動可能となってる。
【００１０】
本発明はこのような折畳みテーブルにおいて、前記天板３の前方に前記両支柱２，２間に跨がって下部が前記脚１とほぼ同じ位置で足元隠しとなり、かつ上部が天板よりも目隠し程度に高くなる適宜高さの四角形の幕板６が垂直に設けられ、該幕板６内の高さ方向中間部にはレール７が設けられてる。そして前記天板３の前方部裏面には略Ｌ型状に形成された取付金具８の水平側８ａが締結手段により固着され、垂直側８ｂの先端部にはローラ９が回転可能に設けられ、このローラ９が前記レール７にスライド可能に嵌装されている。
【００１１】
また前記幕板６の下部には第１リンク１０および第２リンク１１の一端が回動支点１２においてそれぞれ回動可能に結合され、第１リンク１０の他端は前記支柱２の下部と回動支点１３において、さらに第２リンク１１の他端は前記天板受け４と回動支点１４においてそれぞれ回動可能に結合されている。
【００１２】
したがって幕板６は安定した垂直の取付け状態となっている。図中、１５は必要に応じて取付けられるキャスター、１６は折畳みのための操作レバー、１７はビーム、１８は天板受け４に固着された棚パイプである。
【００１３】
図２は本発明にかかる折畳みテーブルの一実施形態の不使用時における側面図を示すものである。この場合は天板３は折畳まれて幕板６に重ね合わされた状態となり、しかも支柱２にも接近した状態となる。
【００１４】
図１の状態から図２の状態に移すための構成および過程を図３および図４に示す作動図により説明する。
【００１５】
図４は前述の実開平７ー１８２６号公報に示された操作レバー部分の構造と同じ構造の詳細図で、天板受け４の内部には左右の天板受け４．４を連結する連結杆２１が回動可能に設けられ、この連結杆２１の内側には別体の係止フック２２が固着されている。係止フック２２には一端部に溝２３があって、この溝２３は支柱２のピン５の近傍で上下に設けられた係止ピン２４，２５の何れかに係合するようになっている。また係止フック２２を常時係止ピン２４，２５の何れかに係合させておくために連結杆２１の回りにはコイルバネ２６が設けられている。
【００１６】
そして操作レバー１６と係止フック２２との間には連結部材２７が設けてあり、したがって操作レバー１６を矢印方向に回転させると、連結部材２７を介して係止フック２２がコイルバネ２６に抗して連結杆２１を中心として矢印方向に回転するため係止フック２２の溝２３は係止ピン２４から外れて非係合状態となる。
【００１７】
これによりテーブルの使用状態の水平姿勢にある天板３を垂直姿勢に折畳むには、操作レバー１６を矢印方向に回転させて係止フック２２の溝２３の係止ピン２４を外すと、天板３はピン５の回りに回転が自由となり、１点鎖線の状態を経て２点鎖線の垂直姿勢となる。この状態では係止フック２２の溝２３が係止ピン２５と係合するので天板は３’の位置、操作レバーは１６’の位置でそれぞれ固定される。
【００１８】
また垂直姿勢から水平姿勢である使用状態にするにはこの逆の操作を行えばよい。
【００１９】
つぎに図３において実線位置である天板３を水平姿勢から垂直姿勢となるように折畳む場合には、図１に示す操作レバー１６を図４のように矢印方向に回動させると、天板３がピン５を中心として一体の天板受け４とともに回転することにより矢印方向に回転上昇するので、幕板６に内装されたローラ９はレール７内を下降する方向にスライドして幕板６も下降する方向に移動しようとするが、一方第２リンク１１は第１リンク１０と協働して回動支点１４を１４’位置まで上昇させる。この結果天板３は幕板６に重なるように回動するとともに幕板６を２点鎖線で示すように支柱２側に引き寄せる。このとき回動支点１２も１２’位置まで上昇する。
【００２０】
この場合符号１４と５を結ぶ線と、１４’と５を結ぶ線のなす角度が９０度になるようにすれば、第２リンク１１は幕板６を天板３に重ね合わせる方向に移動する。したがって天板３は第１、第２リング１０、１１により支えられて幕板６に重なった垂直状態に折畳まれ、図２に示した折畳み状態を得ることができる。
【００２１】
なお天板３の折畳みの状態である垂直姿勢から使用状態である水平姿勢に戻すには、同じように操作レバー１６を操作して係止フック２２の溝２３と係止ピン２５の係合を外すと天板３はピン５の回りに回転が自由となるので、垂直姿勢から水平姿勢に復帰して溝２３と係止ピン２４が係合する。この場合第１リンク１０および第２リンク１１は幕板６を前進させる方向に移動するので、幕板６は天板３の後端に直角にほぼ密着した状態で立ち上がり、使用状態となる。
【００２２】
【発明の効果】
以上説明した本発明によれば、下記のような効果を奏する。
【００２３】
１）会議用テーブルや講義用テーブルにおいて、使用者は天板面上の手元の書類等が幕板を設けたことにより対面者から見られないように隠すことができる。
【００２４】
２）図書館等の閲覧用テーブルにおいて、対面者との仕切りとしての幕板があるために、対面者を意識することなくテーブル上での作業に集中することができる。
【００２５】
また足元についても対面者から見られないように隠すことができる。
【００２６】
３）会議や講義その他に使用しない場合には、天板を折畳むと幕板も連動して天板に密着した状態に収納されるので、収納に要するスペースを節減することができる。
【図面の簡単な説明】
【図１】本発明にかかる折畳みテーブルの一実施形態の使用時の状態を示す側面図。
【図２】図１の折畳み状態を示す側面図。
【図３】本発明の要部である天板と幕板との作動関係を示す側面図。
【図４】本発明に適用される折畳み構造の一例を示す説明図。
【図５】従来の折畳みテーブルの使用時の状態を示す側面図。
【図６】図５の折畳みテーブルを折畳んだ状態を示す側面図。
【符号の説明】
１  脚
２  支柱
３  天板
４  天板受け
５  ピン
６  幕板
７  レール
８  取付金具
８ａ  水平側
８ｂ  垂直側
９  ローラ
１０  第１リンク
１１  第２リンク
１２，１３，１４  回動支点
【図１】
0003618435.tif 000002
【図２】
0003618435.tif 000003
【図３】
0003618435.tif 000004
【図４】
0003618435.tif 000005
【図５】
0003618435.tif 000006
【図６】
0003618435.tif 000007